(57)【要約】【課題】高輝度で均一な光を発光することができる面状光源装置及び表示品位の優れた表示装置を提供すること。【解決手段】本発明にかかる面状光源装置は、側面から入射した光を上面から発光する導光板３と、導光板３の側面３ａに対向して設けられた基板１１を備えている。基板１１には１列目の光源１０ａと２列目の光源１０ｂが側面３ａの長辺３ｃに沿って平行に設けられている。光源１０ａと光源１０ｂは導光板３の長辺に対して傾けて設けられている。１列目の光源１０ａの間に２列目の光源１０ｂを配置している。【選択図】  図６
2004342472.tif 000002
【特許請求の範囲】
【請求項１】
側面から入射した光を上面から出射する導光板と、
前記導光板の１側面の長辺に沿って複数配置された１列目の光源と、
前記１列目の光源と異なる列に前記長辺に沿って複数配置された２列目の光源とを備え、
前記１列目の光源の間に前記２列目の光源が設けられている面状光源装置。
【請求項２】
前記１列目の光源と前記２列目の光源が略平行に配置されていることを特徴とする請求項１記載の面状光源装置。
【請求項３】
前記１列目の光源と前記２列目の光源が前記導光板の同一の側面に対向して設けられていることを特徴とする請求項１又は２記載の面状光源装置。
【請求項４】
前記光源が発光ダイオードを有することを特徴とする請求項１又は３いずれかに記載の面状光源装置。
【請求項５】
前記１列目の光源又は前記２列目の光源が前記側面に対して傾けて設けられていることを特徴とする請求項１乃至４いずれかに記載の面状光源装置。
【請求項６】
点状の発光素子を有する複数の光源と、
側面から入射した光を面全体に導いて上面から出射する導光板とを備えた面状光源装置であって、
前記複数の光源が前記導光板の１側面の長辺に沿って配置され、各々の光源が前記長辺に対して傾けられている面状光源装置
【請求項７】
前記光源の発光面が略矩形状のチップ型光源であることを特徴とする請求項６記載の面状光源装置。
【請求項８】
請求項１乃至７いずれか記載の面状光源装置を用いた表示装置。
【発明の詳細な説明】
【０００１】
【発明の属する技術分野】
本発明は、面状光源装置及びそれを用いた表示装置に関する。
【０００２】
【従来の技術】
液晶表示装置は、液晶層が狭持された２枚の基板からなる液晶パネルとその液晶パネルの裏面側に設けられた面状光源装置とを備えている。面状光源装置の光源としては、従来はその光源に線状の冷陰極管が用いられていたが、寿命の長さ及び発光の良さからＲ、Ｇ、Ｂ三色の発光ダイオード（以下、ＬＥＤとする）をそれぞれ複数配置した光源を用いるものもある。さらに、白色光を発光するＬＥＤを複数配置した光源を用いるものもある。このＬＥＤからの光を導光板の側面に入射させて面全体に光を導いている。
【０００３】
ＬＥＤのような点状光源を用いた面状光源装置をＰＣ用ディスプレイ等の大型画面に用いる場合、多数のＬＥＤを配置して面全体の光量を上げる必要がある。また、面状光源から均一な光が出射されるようにＬＥＤを配置する必要がある。しかしながら、面状光源装置の薄型化や狭額縁化のためにＬＥＤを配置するスペースに制限がある。従って、面状光源装置の光量が不足することがある。また、ＬＥＤの配置によっては面全体の光の均一性に影響を与え、色ムラや輝度ムラ等の表示ムラが発生してしまうこともある。
【０００４】
輝度の均一化を図るため、ＬＥＤを導光板の対向する２面に配置した面状光源装置が開示されている（例えば、特許文献１）この面状光源装置では、導光板の対向する側面にそれぞれＬＥＤを配置している。そして対向する位置のＬＥＤをそれぞれ異なる色のＬＥＤとしている。しかしながらこの面状光源装置では以下のような問題点があった。
【０００５】
チップタイプのＬＥＤを配置した場合、実装上の問題からＬＥＤチップは間隔を空けて配置しなければならない。従って、発光領域の間に隙間が生じ、拡散シート等を介したとしても、光源間の暗部が表示画面上に反映され明暗の輝度ムラが生じてしまう。このように、導光板内を光が伝播してもＬＥＤの指向性及び配置が発光面からの出射光に反映されてしまい、表示ムラが発生するという問題点があった。特に、ディスプレイの画面サイズが大きくなると表示ムラの問題は顕著になってしまう。
【０００６】
【特許文献１】
特開２００２−１５７９０９号公報
【０００７】
【発明が解決しようとする課題】
このように、従来のＬＥＤを用いた面状光源装置及び表示装置では、表示ムラが発生するという問題点があった。
【０００８】
本発明は、このような問題点を解決するためになされたもので、表示特性が均一な面状光源装置及び表示装置を提供することを目的とする。
【０００９】
【課題を解決するための手段】
本発明にかかる面状光源装置は、側面から入射した光を上面から出射する導光板（例えば、本実施の形態における導光板３）と、前記導光板の１側面（例えば本実施の形態における側面３ａ）の長辺（例えば本実施の形態における長辺３ｃ）に沿って複数配置された１列目の光源（例えば、本実施の形態における１列目の光源１０ａ）と、前記１列目の光源と異なる列に前記長辺に沿って複数配置された２列目の光源（例えば、本実施の形態における２列目の光源１０ｂ）とを備え、前記１列目の光源の間に前記２列目の光源が設けられているものである。これにより、光源間の暗部を消滅することができ、輝度ムラを解消することが可能になる。
【００１０】
上述の面状光源装置において、前記１列目の光源と前記２列目の光源が略平行に配置されていることが望ましい。これにより、面状光源装置の光源を設けるスペースを小さくすることができ、薄型化に寄与することができる。
【００１１】
上述の面状光源装置では前記１列目の光源と前記２列目の光源が前記導光板の同一の側面に対向して設けられていることが望ましい。これにより、面状光源装置の狭額縁化に寄与することができる。
【００１２】
上述の面状光源装置の好適な実施例は前記光源が発光ダイオードを有することを特徴とするものである。
【００１３】
本発明の実施の形態３にかかる面状光源装置は上述の面状光源装置において前記１列目の光源又は前記２列目の光源が前記側面に対して傾けて設けることを特徴とするものである。これにより、光源間の暗部を消滅することが可能になり、輝度ムラを防ぐことができる。
【００１４】
本発明の実施の形態２にかかる面状光源装置は点状の発光素子を有する複数の光源と、側面から入射した光を面全体に導いて上面から出射する導光板とを備えた面状光源装置であって、前記複数の光源が前記導光板の１側面の長辺に沿って配置され、各々の光源が前記長辺に対して傾けられているものである。これにより、光源間の暗部の領域を狭くすることができ、輝度ムラを防ぐことができる。
【００１５】
上述の面状光源装置の好適な実施例は前記光源が略矩形状のチップ型光源であるものである。
【００１６】
上述の面状光源装置は表示装置に用いることが好適である。
【００１７】
【発明の実施の形態】
発明の実施の形態１．
本発明の実施の形態ついて以下に図面を参照して説明する。以下の説明は、本発明の好適な実施の形態を示すものであって、本発明の範囲が以下の実施の形態に限定されるものではない。以下の説明において、同一の符号が付されたものを実質的に同様の内容を示している。
【００１８】
本発明の実施の形態１にかかる液晶表示装置の構成について図１及び図２を用いて説明する。図１は液晶表示装置の構成を示す分解斜視図である。図２は液晶表示装置の構成を示す断面図である。１は液晶表示装置、２はリフレクタ、３は導光板、３ａは導光板３の側面、３ｂは導光板３の上面、３ｃは側面３ａの長辺、４は光学シート、５は液晶パネル、６は反射シート、１０は光源、１１は基板である。
【００１９】
図１に示すように導光板３の１側面３ａにはリフレクタ２が取り付けられる。このリフレクタ２には導光板側面３ａの長辺３ｃの方向（Ｘ方向）に沿って、点状の発光ダイオード（ＬＥＤ）を有する光源（図示せず）が複数内包されている。導光板３の上面３ｂには光学シート４、液晶パネル５が設けられている。上面３ｂは発光面であり、側面３ａから導光板３に入射した光は上面３ｂから出射する。光学シート４が設けられている面と反対の下面には反射シートが設けられている。これらが筐体（図示せず）によって固定され、液晶表示装置を構成する。
【００２０】
このリフレクタ２が設けられている導光板の側面３ａと垂直な断面は図２に示すようになる。導光板３の側面３ａに対向して基板１１が設けられている。基板１１の導光板３と対向する面には光源１０が上下２列に取り付けられている。光源１０は発光ダイオードを備えるチップタイプの光源である。光源１０は導光板３の方向に指向性を有する光を出射する。光の使用効率を向上するため基板１１及び光源１０を囲むようにリフレクタ２が設けられている。リフレクタ２は金属又は白色樹脂等からなり、光を導光板３の方向に反射する。導光板３の発光面側には拡散シート、保護シート、レンズシート、プリズムシート等からなる光学シート４が設けられている。導光板３の発光面と反対側には金属又は白色樹脂等からなる反射シート６が設けられている。これらが面状光源装置を構成している。この面状光源装置の発光面の上に液晶パネル５を設けている。これらが筐体（図示せず）によって固定され、液晶表示装置１が構成される。
【００２１】
光源１０から出射された光は直接又はリフレクタ２によって反射され導光板３の側面３ａに入射する。導光板３はアクリル又はポリカーボネイト等により構成される。導光板３の側面３ａから入射した光は導光板内で全反射を繰り返し、面全体に導かれる。導光板３内を伝播した光は上面３ｂ（発光面）から光学シートの方向に出射する。導光板３の上面側から出射された光は、光学シート４を通過し液晶パネル５に入射される。導光板３の裏面側から出射された光は反射シート６によって反射され、再度導光板３に入射する。液晶パネル５はカラーフィルター基板（ＣＦ基板）と薄膜トランジスタアレイ基板（ＴＦＴアレイ基板）を備えており、この２枚の基板の間に液晶層を狭持している。ＣＦ基板はＲ、Ｇ、Ｂの着色層、遮光層（ＢＭ）等を備えており、ＴＦＴアレイ基板はスイッチング素子及び画素電極を備えている。スイッチング素子のＯＮ、ＯＦＦによって画素電極に駆動電圧が印加される。この駆動電圧によって液晶層が配向され、所望の画像が表示される。
【００２２】
次に光源１０が設けられた基板１１の構成について図３を用いて説明する。図３は基板１１を導光板側から見た図である。光源１０を基板１１の１つの面に固定する。光源１０の出光面が導光板３の側面３ａと対向するように、基板１１の端部をリフレクタ２に固定する。従って、基板１１の長辺方向（Ｘ方向）は導光板側面３ａの長辺３ｃ方向に対応し、基板１１の短辺方向（Ｙ方向）は導光板側面３ａの短辺方向に対応している。基板１１の表面には光源１０に電源を供給するための配線パターン（図示せず）を形成している。さらに裏面にも配線パターンを形成して、スルーホールを介して光源１０に接続される。両面に配線パターンを設けることによって配線抵抗を低減することができ、安定して光源に電源を供給することができる。光源１０からの光を反射して効率よく利用するように基板１１を白色樹脂等で形成している。また、基板１１をＦＰＣ等によって構成してもよい。なお、光源１０からの熱を放熱するように金属板（図示せず）を設けてリフレクタ２と基板１１を固定してもよい。この金属板には熱伝導率の高いアルミニウム等の材質を用いることが望ましい。具体的にはアルミニウム板を基板１１の裏面側に取り付け、基板１１とリフレクタ２の間にアルミニウム板を挟み込んで基板１１を固定する。
【００２３】
本実施の形態では基板１１の長辺と平行に光源１０が１列に１１個配置されている。この上列に配置された光源１０を１列目の光源１０ａとする。光源１０ａの下には光源１０ａと平行に光源１０ｂが９個配置されている。この下列に配置された光源１０を２列目の光源１０ｂとする。１列目の光源１０ａ及び２列目の光源１０ｂは基板１１の長辺方向（Ｘ方向）に沿って配置され、長辺と略平行に設けられている。そして、１列目の光源１０ａと２列目の光源１０ｂは互い違いに配置されている。そのため、光源１０ｂは隣り合う２つの光源１０ａの中間位置に配置され、反対に光源１０ａは隣り合う光源１０ｂの中間位置に配置されている。よって、基板１１の長辺方向（Ｘ方向）において光源１０ａの発光領域の間に光源１０ｂの発光領域を設けることができる。側面３ａの長辺方向において略全ての領域に光源１０の発光領域を設けることができ、基板１１の端部を除き長辺方向全体に光が発光される。これにより、光源間の暗部が消滅して導光板側面３ａの長辺３ｃの方向全体に光が入射するため、導光板３の側面３ａに入射する光の輝度をより均一にすることができる。
【００２４】
さらに、光源１０を基板１１の短辺方向（Ｙ方向）に２列に配置することによって、額縁サイズを大きくすること無く光源１０の個数を増やすことができる。一般に光源としてのＬＥＤに流す電流が高いほど１つのＬＥＤからの発光量は多くなるが、電流が高いと発熱量が多くなってしまう。ＬＥＤは使用温度によって光量、スペクトル及び色度等が変化するため、発熱による温度変化によって面状光源装置の表示特性が変化してしまう。従って、これらの変化を少なくするために低電流で用いることが好ましい。本発明では光源数を増やすことができるので、１つの光源に流す電流を低くなる。これにより、面状光源装置全体の発光量を向上することができるとともに表示特性の変化を抑制することができる。
【００２５】
従来技術のように光源１０を導光板の対向する側面に設けた場合、表示装置の使用環境によって導光板の対向する面で環境温度が変化することがある。このような環境温度の変化はＬＥＤの発光特性に影響を与え、輝度ムラ、色ムラ等の表示ムラが生じる恐れがある。しかし、本実施の形態のように導光板の１側面に全ての光源を配置することにより、ＬＥＤの使用環境を略同じものとすることができる。さらに導光板の対向面の対向する位置にＬＥＤを配置した場合、対向するＬＥＤから導光板を介して光が入射してしまう。この光を吸収してＬＥＤの温度が上昇することが考えられる。本実施の形態に示すように同一側面に全ての光源を配置することにより、温度上昇により表示特性の変化を低減することができ、表示品質の向上を図ることができる。
【００２６】
この光源１０について図４を用いて説明する。図４は光源１０を設けた基板１１の構成を拡大して示す斜視図である。１２は発光素子、１３は発光領域である。光源１０の発光面の中心に点状の発光ダイオードから成る発光素子１２が設けられている。この発光素子１２には白色ＬＥＤを用いており、指向性を持った白色光が発光面から出射する。光源１０は発光面のサイズが縦２ｍｍ×横３ｍｍで高さが２ｍｍのチップ状の光源である。この発光面には縦１．３ｍｍ×横２ｍｍの発光領域１３が形成され、発光領域１３から光が出射する。光源１０の発光面は矩形状であり、中央に略矩形状の発光領域が形成されている。発光面と発光領域１３の中心は略一致している。光源１０の発光面と対向する面を基板１１に取り付けている。そして、１列目の光源１０ａと２列目の光源１０ｂを千鳥配置にしている。光源１０の発光面と対向する面には電極が形成されている。基板１１上に設けられた配線パターンを介して電流がこの電極を介して発光素子に供給される。光は光源１０の発光面の発光領域１３から指向性を持って出射され、導光板３の側面３ａに入射する。
【００２７】
このチップ状の光源１０は基板に取り付ける際の実装精度から隣の光源から１ｍｍの間隔を設けて実装しなければならない。従って、光源１０ａは隣り合う光源１０ａとの間に約１ｍｍの隙間が生じる。この隙間の下には２列目の光源１０ｂの発光領域があるため、基板１１の長辺方向には複数の光源１０から隙間なく光が出射する。これにより、導光板側面３ａの長辺方向（Ｘ方向）に対する光源間の暗部を消滅させることができ、側面３ａの長辺方向の略全体に光を入射させることができる。表示画面上の輝度は導光板３の側面に入射する光の輝度を反映したものとなるため、光源間の暗部に基づく表示画面上の輝度ムラを解消することができる。このように１列目の光源１０ａと２列目の光源１０ｂを千鳥配置とすることで表示ムラを解消することができる。２列の光源１０を互い違いに配置することにより、光源間のクリアランス確保が可能となる。これにより、額縁サイズを広げることなく光源１０をより多く導光板側面周辺に配置することができ、面状光源装置の輝度を向上することができる。
【００２８】
図３では上列の光源１０ａを下列の光源１０ｂに比べて２個多く設け、上列の長さを長くしたが、下列の光源の数を増やして、下列を長くしても良い。もちろん、上列と下列で同数の光源を設けて、同じ長さとしてもよい。さらに、個々の光源１０の大きさを異なるものとしてもよいし、光源間のそれぞれの隙間を変えて配置してもよい。実装制約上、基板上の光源同士が接するように配置できない場合であっても、光源１０ａ間の隙間の下に光源１０ｂを配置する構成とすれば、導光板側面の長辺方向において光源間の暗部を消滅させることができるため、輝度ムラを解消することができる。
【００２９】
また、基板上で隣り合う光源１０を接触させて配置することができる場合であっても、チップの発光面全面に発光領域が設けられていないと隣り合う光源１０の発光領域１３に隙間が生じ、暗部が発生する。このような場合でもあっても発光領域の隙間の下に２列目の光源１０ｂを設けることによって、光源間の暗部が消滅して輝度ムラを解消することができる。このように発光領域に隙間が生じて暗部が発生するような光源を用いた場合であっても、本実施の形態にかかる光源の配置により暗部を消滅することができ、輝度ムラを解消することが可能となる。
【００３０】
さらに、光源１０の発光面全体が発光領域であって発光領域に隙間が生じていない場合であっても、発光素子１２の発光特性によって面内に光の出射角分布や輝度分布が生じる。通常、ＬＥＤからの出射光の指向特性は０度（垂直方向）の光度が最も高いため、発光素子１２を光源１０の発光面の中央に設けた場合、発光面の端部の光量が低くなる。このような場合であっても、光源１０ａの隙間の下に光源１０ｂを設けることによって、光源からの出射光が均一になり、より均一な光を導光板の入光面に入射させることができ、面状光源装置の発光面の輝度ムラを防ぐことができる。これにより、液晶表示装置の表示ムラを抑制することができ、表示品位の向上を図ることが可能になる。
【００３１】
また、１列目の光源間に２列目の光源１０ｂを配置しても光源１０、発光素子１３のサイズや光源の間隔によっては光源間の暗部が完全に消滅しない場合がある。このような場合でもあっても１列目の光源１０ａと２列目の光源１０ｂを互い違いに配置にすることにより、側面３ａの長辺方向に対する暗部の領域を小さくすることができ、輝度ムラを解消することができる。なお、ＬＥＤからの光は指向性を持って拡がって出射されるため、導光板３と光源１０の間の距離を離すことによって、側面３ａに入射する光を均一にすることができるが額縁サイズが大きくなってしまう。本実施の形態に示すように１列目の光源１０ａと２列目の光源１０ｂを互い違いに配置にすることによって、導光板３と光源１０間の距離を開けなくても側面３ａに入射する光を均一にすることができる。よって、導光板３と光源１０間の距離を短くすることができ、額縁サイズを小さくすることができる。
【００３２】
上述のように１列目の光源１０ａの間に２列目の光源を配置することによって、長辺方向の発光領域を長くすることができる。この場合、光源１０ａの発光領域間の暗部全てに光源１０ｂの発光領域１３を設けて、暗部を消滅するように配置することが望ましい。これにより、完全に光源間の暗部に対応した輝度ムラを解消することができる。ただし、実装上あるいはチップサイズ上の制約があり暗部を完全に消滅できない場合であっても、光源１０ａと光源１０ｂの位置を一部ずらして光源１列目の光源間に２列目の光源１０ｂを配置することにより、暗部を短くすることができる。これにより輝度ムラを改善することができる。なお、白色ＬＥＤ光源を上述の構成で用いた場合、例えば、１２インチの液晶ディスプレイで光源の数は１列目と２列目を合わせて１１０〜１２０個程度となる。このように多数のＬＥＤ光源を配置することが可能になる。
【００３３】
発明の実施の形態２．
本実施の形態にかかる光源の配置について図５を用いて説明する。本実施の形態の液晶表示装置及び面状光源装置の構成は実施の形態１で示した構成と同様であるため説明を省略する。図５は光源の配置を示す図であり、導光板の側面から光源を見た図である。
【００３４】
本実施の形態では、実施の形態１と同じ光源１０を用いており、この光源１０を導光板側面３ａの長辺３ｃの方向に対して傾けて配置している。すなわち、光源１０の発光面の一辺と長辺３ｃが傾いた状態となる。このように、発光面の一辺と長辺３ｃが平行（又は直角）でなくなるため、発光領域１３を長辺３ｃに対して傾けることができる。発光領域１３が略矩形状である時は対角線が長辺方向に射影され、長辺３ｃと発光面の一辺を直角（又は平行）に設ける配置と比べて長辺方向における発光領域を長くすることが出来る。すなわち、光源１０を傾けることによって、光源間の暗部の領域を少なくすることあるいは暗部を消滅することができる。これにより、実施の形態１と同様の効果を得ることが可能になる。よって、導光板３の発光面から出射する光の輝度ムラを防ぐことができ、液晶表示装置の表示品位の向上を図ることができる。
なお、光源１０を傾けることによって、発光面の一辺と側面３ａの一辺が直角（又は平行）でなくなれば、発光領域を長くすることができ輝度ムラを改善することができる。さらに光源１０の発光領域１３及び発光面が略矩形状でない場合であっても、発光領域又は発光面に長手方向と短手方向がある場合は発光面と長手方向と長辺３ｃの角度をなるべく小さくすることが望ましく、略平行にすることがより望ましい。これにより、発光領域を長くすることができる。
【００３５】
発明の実施の形態３．
本実施の形態にかかる光源の配置について図６を用いて説明する。本実施の形態の液晶表示装置及び面状光源装置の構成は実施の形態１で示した構成と同様であるため説明を省略する。図６は光源の配置を示す図であり、導光板の側面から光源を見た図である。
【００３６】
本実施の形態では、実施の形態１と同じ光源１０を用いており、この光源１０を導光板側面３ａの長辺３ｃの方向に対して傾けて配置している。１列目の光源１０ａは隙間を空けて基板１１に取り付けている。この隙間の下に２列目の光源１０ｂを配置している。すなわち、実施の形態１と実施の形態２を組み合わせた構成で光源１０を配置している。このような配置により実施の形態１及び実施の形態２と同様の効果を得ることができる。よって、導光板側面３ａの長辺方向に対する光源間の暗部が消滅すること又は暗部の領域を小さくすることができ、導光板３の側面の長辺方向全体に光が入射させることができる。表示画面上の輝度は導光板３の側面に入射する光の輝度を反映したものとなるため、光源間の暗部に基づく表示画面上の輝度ムラを解消することができる。さらに光源間のクリアランス確保が可能となり、省スペースでより多くの光源を配置することができる。これにより、額縁サイズを広げることなく光源１０をより多く導光板側面に配置することができ、面状光源装置の輝度を向上することができる。
【００３７】
その他の実施の形態．
本発明は上述した実施の形態だけに限られず、様々な変更が可能である。例えば、上述の実施の形態において示した光源の数、サイズ、配置等は一例であり種々の変更を加えることができる。また、上述の実施の形態では光源として白色タイプのＬＥＤを用いたが、Ｒ、Ｇ、Ｂ個別タイプ又はＲ、Ｇ、Ｂ一体タイプのＬＥＤを用いてもよい。Ｒ、Ｇ、Ｂ個別タイプのＬＥＤを用いた場合、１列目の隣り合うＬＥＤがＲ、Ｇである場所の下には２列目のＬＥＤはＢのＬＥＤを用いることが望ましい。さらに、フルカラーＬＥＤや紫外ＬＥＤを用いること可能である。もちろんＬＥＤ以外の光源を用いてもよい。また、チップタイプのＬＥＤに限らず、砲弾タイプのＬＥＤでも同様の効果を得ることができる。さらに光源の配置は２列に限らず光源１０を３列以上の配置としてもよい。
【００３８】
実施の形態１、３では導光板３の同一の側面３ａに１列目の光源１０ａと２列目の光源１０ｂを設けていたが、導光板３の対向する側面にそれぞれ設けても良い。例えば、側面３ａには１列目の光源１０ａを側面３ａの対向面には２列目の光源１０ｂを設けて、光源１０ａの間に対応する位置に光源１０ｂを設けてもよい。これにより、面状光源装置及び液晶表示装置の薄型化に寄与することが可能になる。さらに光源１０は側面３ａと対向して設ける必要はなく、例えば導光板３の裏面側に光源１０を配置して、混色用導光板、リフレクタを介して側面３ａに光を入射させてもよい。このような配置であっても、側面３ａの長辺３ｃに沿って光源１０を設けることにより同様の効果を得ることができる。
【００３９】
実施の形態１〜３で説明したように１列目と２列目の光源１０を互い違いに配置すること又は光源１０を側面３ａの長辺方向に対して傾けて配置することに光源間の暗部が消滅することができ、輝度の均一化を図ることができる。また、光源１０、発光素子１３のサイズや光源の間隔により光源間の暗部が完全に消滅しない場合であっても、上述の構成により光源間の暗部の領域を小さくすることができる。これにより、面状光源装置の輝度ムラを解消することができる。上述の面状光源装置は液晶表示装置等の表示装置に好適である。もちろん、液晶表示装置以外の表示装置に対してもこの面状光源装置を用いることも可能である。この面状光源装置を用いることによって表示装置の表示品質の向上を図ることができる。
【００４０】
【発明の効果】
本発明によれば、高輝度で均一な光を発光することができる面状光源装置及び表示品位の優れた表示装置を提供することができる。
【図面の簡単な説明】
【図１】本発明にかかる液晶表示装置の構成を示す分解斜視図である。
【図２】本発明にかかる液晶表示装置の構成を示す断面図である。
【図３】本発明の実施の形態１にかかる液晶表示装置の光源を示す図である。
【図４】本発明の実施の形態１にかかる液晶表示装置の光源を示す斜視図である。
【図５】本発明の実施の形態２にかかる光源の配置を示す正面図である。
【図６】本発明の実施の形態３にかかる光源の配置を示す正面図である。
【符号の説明】
１  液晶表示装置、２  リフレクタ、３  導光板、３ａ  導光板の側面、３ｂ  導光板の上面、３ｃ  側面の長辺、４  光学シート、５  液晶パネル、６  反射シート、１０  光源、１０ａ  １列目の光源、１０ｂ  ２列目の光源、１１  基板、１２  発光素子、１３  発光領域
【図１】
2004342472.tif 000003
【図２】
2004342472.tif 000004
【図３】
2004342472.tif 000005
【図４】
2004342472.tif 000006
【図５】
2004342472.tif 000007
【図６】
2004342472.tif 000008